(57)【特許請求の範囲】
【請求項１】
要求送信方法であって、
ユーザにより送信された要求指示を受信することであって、前記要求指示は、要求数値情報および要求されたオブジェクトの識別子を備える、ことと、
前記要求されたオブジェクトの前記識別子に応じて前記要求されたオブジェクトの１日の制限を問い合わせることと、
前記要求数値情報が示す特定の数値が前記要求されたオブジェクトの前記1日の制限より小さいまたは等しいと、前記要求数値情報が示す前記特定の数値を、制限ルールに基づいて前記要求されたオブジェクトの前記制限ルールに従う少なくとも２つの要求数値に分割し、前記要求数値情報が示す前記特定の数値が前記要求されたオブジェクトの前記1日の制限を超えると、送金が前記ユーザに許可されないことを示す迅速な情報をプッシュすることと、
前記制限ルールに従う前記少なくとも２つの要求数値について、前記要求されたオブジェクトの前記識別子により示される前記要求されたオブジェクトに、要求を順次送信することと、
を含む方法。
【請求項２】
前記方法は、前記要求数値情報が、前記特定の数値を分割する前に前記要求されたオブジェクトの確立された制限ルールに基づいて前記制限ルールに従うことを確認すること、をさらに含む、請求項１に記載の方法。
【請求項３】
前記方法は、前記要求されたオブジェクトにおける前記ユーザが所有する特定の数値が、前記特定の数値を分割する前に前記要求数値情報により示される前記数値より大きいまたは等しいと判定することをさらに含む、請求項２に記載の方法。
【請求項４】
前記少なくとも２つの要求数値に従って前記要求されたオブジェクトの前記識別子により示される前記要求されたオブジェクトに前記要求を順次送信することは、
前記要求されたオブジェクトが前記少なくとも２つの要求数値に従って前記少なくとも２つの要求数値の実行を終了するまで、一方の要求の実行が終了した後に別の要求を開始する方法で、前記要求されたオブジェクトに前記要求を１つずつ開始することを含む、請求項１に記載の方法。
【請求項５】
前記方法は、前記ユーザにより送信された前記要求指示を受信する前に、前記ユーザが要求許可を有するかどうかを確認すること、をさらに含む、請求項１に記載の方法。
【請求項６】
前記ユーザが前記要求許可を有するかどうかを確認することは、
第１の特定のページを前記ユーザにプッシュすることと、
前記第１の特定のページを介して入力されたユーザ識別情報を確認することと、
前記ユーザ識別情報に従って、前記ユーザ、前記要求されたオブジェクト、およびローカルシステムの間に第三者契約が存在するかどうかを確認することと、
を含む、請求項５に記載の方法。
【請求項７】
前記特定のページは、複数の要求されたオブジェクトのプルダウンメニューで構成され、前記ユーザが前記許可を有するのを確認することは、前記ユーザが、前記プルダウンメニューを通じて前記要求されたオブジェクトを選択した場合、前記ユーザが前記許可を有するかどうかを確認することを含む、請求項６に記載の方法。
【請求項８】
前記ユーザにより送信された前記要求指示を受信することは、
第２の特定のページを前記ユーザにプッシュすることと、
前記第２の特定のページ上で前記ユーザによりトリガされた前記要求指示を受信することと、
を含む、請求項１に記載の方法。
【請求項９】
前記特定のページは、確認ボタンと、前記要求数値の入力フィールドと、前記ユーザが入力するためのパスワードの入力フィールドとを備え、前記要求数値は送金額であり、前記パスワードは支払パスワードであり、前記要求指示は、前記ユーザが前記送金額の前記入力フィールドに前記送金額を入力し、前記支払パスワードの前記入力フィールドに前記支払パスワードを入力した後に、前記確認ボタンをクリックすることによりトリガされる要求指示である、請求項８に記載の方法。
【請求項１０】
前記要求数値情報は、送金額情報であり、前記送金額情報が示す送金額を、前記送金額情報に応じて少なくとも２つの送金額に分割することは、
前記要求されたオブジェクト識別子に従ってシステムデータベース内の対応するアルゴリズムを呼び出すことと、
前記対応するアルゴリズムおよび前記送金額情報に基づいて前記送金額を除算することと、
を含む、請求項１に記載の方法。
【請求項１１】
支払要求送信装置であって、
ユーザにより送信された要求指示を受信するように構成された受信部であって、前記要求指示は、要求数値情報および要求されたオブジェクトの識別子を備える、受信部と、
前記要求されたオブジェクトの前記識別子に応じて前記要求されたオブジェクトの１日の制限を問い合わせ、前記要求数値情報が示す特定の数値が前記要求されたオブジェクトの前記1日の制限より小さいまたは等しいと、前記要求数値情報が示す前記特定の数値を、制限ルールに基づいて前記要求されたオブジェクトの前記制限ルールに従う少なくとも２つの要求数値に分割し、前記要求数値情報が示す前記特定の数値が前記要求されたオブジェクトの前記1日の制限を超えると、送金が前記ユーザに許可されないことを示す迅速な情報をプッシュするように構成された判定および分割部と、
前記判定および分割部により判定された前記少なくとも２つの要求数値に基づいて、前記要求されたオブジェクトの前記識別子により示される前記要求されたオブジェクトに、要求を順次送信するように構成された要求送信部と、
を備える装置。
【請求項１２】
前記判定および分割部は、前記要求数値情報が前記要求されたオブジェクトの確立された制限ルールに基づいて前記制限ルールに従うことを確認する、請求項１１に記載の装置。
【請求項１３】
前記判定および分割部は、前記要求されたオブジェクト内の前記ユーザにより所有される特定の数値が、前記要求数値情報により示される前記数値より大きいまたは等しいと判定するようにさらに構成される、請求項１２に記載の装置。
【請求項１４】
前記要求送信部により前記少なくとも２つの要求数値に従って前記要求されたオブジェクトの前記識別子により示される前記要求されたオブジェクトに前記要求を順次送信することは、
前記要求されたオブジェクトが前記少なくとも２つの要求数値に従って前記少なくとも２つの要求数値の実行を終了するまで、一方の要求の実行が終了した後に別の要求を開始する方法で、前記要求されたオブジェクトに前記要求を１つずつ開始する、請求項１１に記載の装置。
【請求項１５】
前記装置は、確認部をさらに備え、前記確認部は、前記受信部が前記ユーザにより送信された前記要求指示を受信する前に、前記ユーザが要求許可を有するかどうかを確認する、請求項１１に記載の装置。
【請求項１６】
前記ユーザが前記確認部により前記要求許可を有するかどうかを確認することは、
第１の特定のページを前記ユーザにプッシュすることと、
前記第１の特定のページを介して入力されたユーザ識別情報を確認することと、
前記ユーザ識別情報に基づいて、前記ユーザ、前記要求されたオブジェクト、およびローカルシステムの間に第三者契約が存在するかどうかを確認することと、
を含む請求項１５に記載の装置。
【請求項１７】
前記特定のページは、複数の要求されたオブジェクトのプルダウンメニューで構成され、前記ユーザが前記許可を有するのを確認することは、前記ユーザが前記要求されたオブジェクトを前記プルダウンメニューから選択した場合に、前記ユーザが前記許可を有することを確認することを含む、請求項１６に記載の装置。
【請求項１８】
前記受信部により前記ユーザによって送信された前記要求指示を前記受信することは、
第２の特定のページを前記ユーザにプッシュすることと、
前記第２の特定のページ上で前記ユーザによりトリガされた前記要求指示を受信することと、
を含む、請求項１１に記載の装置。
【請求項１９】
前記特定のページは、確認ボタンと、前記要求数値の入力フィールドと、前記ユーザが入力するためのパスワードの入力フィールドとを備え、前記要求数値は、送金額であり、前記パスワードは支払パスワードであり、前記要求指示は、前記ユーザが前記送金額の前記入力フィールドに前記送金額を入力し、前記支払パスワードの前記入力フィールドに前記支払パスワードを入力した後に、前記確認ボタンをクリックすることによりトリガされる要求指示である、請求項１８に記載の装置。
【請求項２０】
前記要求数値情報は、送金額情報であり、前記判定および分割部により前記送金額情報に応じて、前記送金額情報が示す送金額を少なくとも２つの送金資金に分割することは、
前記要求されたオブジェクトの前記識別子に従ってシステムデータベース内の対応するアルゴリズムを呼び出すことと、
前記対応するアルゴリズムおよび前記送金額情報に応じて前記送金額を分割することと、
を含む、請求項１１に記載の装置。
【発明の詳細な説明】
【技術分野】
【０００１】
本出願は、コンピュータ技術の分野に関し、特に、要求送信方法およびその装置に関する。
【背景技術】
【０００２】
２１世紀には、インターネット、クラウド技術、およびインテリジェントデバイスが人々のライフスタイルを変えた。伝統的なライフスタイルが崩壊し、新しいライフスタイルが徐々に人間の生活に浸透している。インターネットを介して日々の生活の中で様々な事柄を受容的に処理し、完了させる人々が増えている。
【０００３】
人々が扱う日々の事柄は、インターネットモードの最下層にある様々な種類のデータ情報の作成、変更、送信、交換などとして明らかになる。人々は、サービス組織の様々なウェブサイトやシステムにアカウントを登録する。ユーザは、サービス組織の様々なウェブサイトおよびシステム上の色々なタイプのデータおよびデジタル情報を所有することもできる。サービス組織のシステムにログオンした後、ユーザは、サービス組織のサーバにおいて、それに関連するデータまたは数値情報を遠隔で作成もしくは修正するか、またはそれに関連するデータまたは数値情報の配信をユーザ端末またはユーザ端末を介してユーザにより指定されたネットワークアドレスに対して要求して良い。一部のサービス組織では、独自の内部ゲームルールとデータ処理ルールを使用する場合があり、ユーザが正しい実行を得るためには、これらのルールに従ったデータ要求を提示する必要がある。例えば、サービス組織のシステム（またはゲームのウェブサイト）にユーザが一定額の現金（または仮想ゲーム通貨）を有し、サービス組織（またはゲームのウェブサイト）は、一度に送金できる現金（または仮想ゲームの通貨）の数値制限に上限を設定できる。このケースでは、ユーザが比較的多額の現金を送金したい場合には、ユーザは、複数回、規則に従うデータ要求を開始する動作を実行する必要がある。
【発明の概要】
【０００４】
本出願の実施形態は、要求送信方法を提供し、要求されたオブジェクトが単一の数値データ送信動作を実行するために最高限度が存在するシナリオにおいて、ユーザが複数回の動作を実行する必要がある既存の技術における問題を解決する。
【０００５】
本出願の実施形態は、支払要求送信装置を提供し、要求されたオブジェクトが単一の数値データ送信動作を実行するために最高限度が存在するシナリオにおいて、ユーザが複数回の動作を実行する必要がある既存の技術における問題を解決する。
【０００６】
本出願の実施形態は、以下の技術的解決策を採用する。
【０００７】
要求送信方法は、要求数値情報と要求されたオブジェクトの識別子とを備えるユーザにより送信された要求指示を受信すること、要求数値情報が示す実際の数値を、制限ルールに応じて要求されるオブジェクト制限ルールに従う少なくとも２つの要求数値に分割すること、制限ルールに従う少なくとも２つの要求数値について要求されたオブジェクトの識別子により示される要求されたオブジェクトに要求を順次送信することと、を含む。
【０００８】
支払要求送信装置は、ユーザにより送信された要求数値情報と要求されたオブジェクトの識別子とを備える要求指示を受信するように構成された受信部と、要求数値情報が示す実際の数値を、制限ルールに基づいて要求されるオブジェクト制限ルールに従う少なくとも２つの要求数値に分割する判定および分割部と、制限ルールに従う少なくとも２つの要求数値について、要求されたオブジェクトの識別子により示される要求されたオブジェクトへの要求を順次送信するように構成される要求送信部と、を備える。
【０００９】
上記の本出願の実施形態に提供される少なくとも１つの解決策は、以下の技術的効果を実現することができる。
【００１０】
ユーザが送信した要求指示が受信された後、数値データが分割されてよく、分割により得られた特定の数値に従って少なくとも２つの要求が要求されたオブジェクトに送信される。したがって、要求されたオブジェクトにより実行された単一の数値データ送信動作に最高限度が存在するシナリオであっても、ユーザは複数回の送信動作を行う必要はないため、ユーザが動作を複数回実行する必要があり得る既存の技術における問題を避けることができる。
【００１１】
本明細書に記載される添付の図面は、本出願のさらなる理解を提供し、本出願の一部を形成するために使用される。本出願の例示的な実施形態およびその説明は、本出願を説明するために使用され、本出願に対するいかなる不適切な制限としても解釈されない。
【図面の簡単な説明】
【００１２】
【図１】本出願の第１の実施形態に係る要求送信方法である。
【図２】本出願の第２の実施形態に係る金融機関に具体的に適用される支払要求送信方法である。
【図３】本出願の第３の実施形態に係る金融機関に具体的に適用される別の支払要求送信方法である。
【図４】本出願の実施形態に係る要求送信装置である。
【発明を実施するための形態】
【００１３】
本出願の目的、技術的解決法、および利点をより明確にするために、本出願の技術的解決策は、本出願の特定の実施形態およびそれに対応する添付の図面を参照して、明白、包括的に記載される。明らかに、記載された実施形態は、本出願の実施形態の一部にすぎず、すべてではない。創造的な努力をすることなく当業者により得られる他のすべての実施形態は、本出願の保護の範囲に入るものとする。
【００１４】
第１の実施形態
図１は、本出願の第１の実施形態に係る要求送信方法のフローチャートであり、主に、システムがユーザの要求指示を受け取るプロセスに言及し、ユーザにより提示された要求数値情報が、要求されたオブジェクトの制限ルールを超過する。この場合、システムは、要求数値情報を分割した後、システムの最下層で要求アプリケーションを複数回開始する。以下の動作が含まれている。
【００１５】
Ｓ１０１：システムが特定のページをユーザにプッシュする。
【００１６】
本出願のこの実施形態では、システムは、サーバまたはパーソナルコンピュータ（ＰＣ）などのキャリアエンティティであってもよく、関連ソフトウェアプラットフォームが実行される。
【００１７】
ユーザは、動作ウェブサイト、ゲームプラットフォーム、支払プラットフォームなどの登録ユーザであり、固有の登録ＩＤを有する。
【００１８】
特定のページには、要求されたオブジェクトのオプションフィールド、要求数値情報の入力フィールドなどが備えられる。
【００１９】
Ｓ１０２：システムはユーザの要求指示を受信する。
【００２０】
要求指示は、要求数値情報、要求されるオブジェクト識別子、ユーザ識別情報などを備える。要求数値情報は、個人のイニシアチブで特定のページ上でユーザにより送信および入力されることが要求される特定の数値データ情報である。要求されたオブジェクト識別子は、ユーザが数値データを送信することを要求するオブジェクトを示す。
【００２１】
Ｓ１０３：システムは、要求指示に基づいてユーザ許可の確認を行う。
【００２２】
ユーザ許可の確認は、（１）ユーザ識別情報に基づいてシステム内のユーザのログオン許可を確認すること、（２）ユーザ識別情報および要求されたオブジェクト識別子に基づいて、ユーザの要求許可を確認することと、を含む。
【００２３】
要求許可は、ユーザ、システム、および要求されたオブジェクトが第三者委託契約に署名するかどうかに基づいて判定される。ユーザにこの許可がない場合、エラーが報告され、返される。ユーザにこの許可があると判定された場合は、次の動作が実行される。
【００２４】
システムは、第三者委託契約（複数可）に署名するユーザ（複数可）のそれぞれの識別情報、および対応する要求されたオブジェクト識別子（複数可）をローカルデータベースに記憶し得る。さらに、システムは、ユーザ（複数可）のそれぞれの識別情報と対応する要求されたオブジェクト識別子（複数可）との間のそれぞれのマッピング関係（複数可）をさらに記憶してもよい。したがって、要求指示を受信した場合、システムは、（１）要求指示に備えられるユーザ識別情報と一致するユーザ識別情報がローカルデータベース内に見出され得るかどうか、（２）ユーザ識別情報と要求指示に備えられる要求されたオブジェクト識別子との間のマッピング関係が、ローカルデータベースにおいて見出され得るかどうか、を判定し得る。これらの２つの判定の結果がともに肯定的である場合、ユーザは上述のように要求許可を有すると判定されることができる。
【００２５】
Ｓ１０４：要求数値と要求されたオブジェクト識別子とに基づいて、要求数値が要件を満たすかどうかを判定する。
【００２６】
システムはまず、要求されたオブジェクト識別子にしたがって、要求されたオブジェクトの制限ルールを問い合わせる。システムは、ユーザの要求指示に備えられる要求数値との比較のために、要求されたオブジェクトの制限ルールをローカルに呼び出す。
【００２７】
要求数値が制限ルールに従っていない場合、エラーが報告され、返される。
【００２８】
要求数値が制限ルールに従う場合には、要求されたオブジェクトの下のユーザの特定の数値が要求数値より大きいかまたは等しいかどうかの問い合わせがさらに行われる。特定数値が要求数値より大きいまたはそれに等しい場合、Ｓ２０５が実行される。特定の数値が要求数値よりも小さい場合は、エラーが報告され、返される。
【００２９】
Ｓ１０５：要求数値と要求されたオブジェクト識別子とに基づいて分割が必要かどうかを判定する。
【００３０】
要求されたオブジェクト識別子に基づいて、要求されたオブジェクトの数値データの一回限りの送信制限がローカルデータベースから呼び出され、比較が行われる。
【００３１】
要求指示に備えられる要求数値が１回限りの送信制限より大きい場合には、Ｓ１０６が実行される。
【００３２】
要求指示に備えられる要求数値が１回限りの送信制限値より小さいかまたは等しい場合、Ｓ１０７が実行される。
【００３３】
Ｓ１０６：要求数値は、要求されたオブジェクトの１回限りの送信制限に従って分割される。
【００３４】
言い換えれば、要求数値は、１回限りの送信制限の制限で除算される。
【００３５】
商が整数の場合、要求数値は商である数で複数の特定の数値に分割される。
【００３６】
商が整数でない場合には、要求数値は複数の一回限りの送信制制限に商の整数部分である数で分割する必要があり、その残りである要求数値を有する数値要求を付加する。
【００３７】
Ｓ１０７：要求されたオブジェクトに対して要求が開始される。
【００３８】
Ｓ１０５によれば、分割される必要のない要求数値のために要求されたオブジェクトに対して要求が直接開始される。あるいは、要求数値が分割された回数およびそれに対応する特定の数値データに基づいて、要求されたオブジェクトに対して要求が開始される。
【００３９】
第２の実施形態
図２は、本出願の第２の実施形態に係る支払要求送信方法のプロセスであり、支払オブジェクトにより実行される単一の送金動作で送金できる最高額の制限が存在するシナリオでユーザが、複数回動作を行う必要がある既存技術の問題を解決するために具体的に用いられる。本プロセスは、主に次の動作を含む。
【００４０】
Ｓ２０１：システムは、ユーザにより送信された支払要求指示を受信する。
【００４１】
本出願のこの実施形態では、システムは、Ａｌｉｐａｙ（商標）、Ｔｅｎｐａｙ、またはＹｕ’ＥＢａｏなどの支払プラットフォームであってもよい。システムは、サーバ（背景技術の章で説明した第三者サーバなど）、パーソナルコンピュータ（ＰＣ）などのキャリアエンティティであってもよく、関連するソフトウェアプラットフォームがその上で実行されている。
【００４２】
ユーザは、支払プラットフォームの登録ユーザであってもよく、固有の登録ＩＤを有する。
【００４３】
支払要求指示は、送金額情報および支払オブジェクト識別子を備えてもよい。送金額情報は、例えば、ユーザが個人的な意思で特定のページに入力した資金送金額であってもよい。支払オブジェクト識別子は、ユーザが支払を行いたいオブジェクトを示す。
【００４４】
Ｓ２０２：システムは、送金額および支払オブジェクト識別子に応じて、送金額が制限を超えているかどうかを判定する。送金額が支払オブジェクトの設定された１日の送金制限を超えていないと判定された場合、Ｓ１０３が実行される。そうでない場合、送金が許可されていないことを示す迅速な情報がユーザに返され、プッシュされる場合がある。
【００４５】
具体的には、システムは、最初に、支払オブジェクト識別子に従って支払オブジェクトの１日の制限を問い合わせすることができる。例えば、システムは、支払オブジェクトの１日の送金制限データ表をローカルに設定することができる。データ表と支払オブジェクト識別子は、１対１の方法で互いに対応し、ローカルデータベースまたはローカルメモリに記憶される。システムは、支払オブジェクト識別子に従ってデータ表を直接呼び出すだけでよい。
【００４６】
対応するデータ表を用いてユーザの支払要求指示に備えられる送金額と比較した後、支払要求における送金額が設定された支払オブジェクトの１日の送金制限を超える場合に、システムは、送金がユーザに許可されないことを示す迅速な情報をプッシュする。支払要求指示における送金額が、支払オブジェクトの設定された１日の送金制限より小さいまたは等しい場合、Ｓ２０３が実行される。
【００４７】
Ｓ２０３：システムは、支払要求指示を提示したユーザの支払オブジェクト口座の資金残高を支払オブジェクトと照合し、比較を行う。
【００４８】
具体的には、支払口座内のユーザの資金残高に関する問い合わせを支払オブジェクトに提示し、資金残高と支払要求指示に備えられる送金額情報が示す送金額との比較を行う。送金額情報が示す送金額が資金残高よりも小さいまたは等しい場合、Ｓ２０４が実行される。送金額情報が示す送金額が資金残高よりも大きい場合、残高が不足していることを示す迅速な情報がユーザにプッシュされる。
【００４９】
Ｓ２０４：送金額は、支払オブジェクトの単一送金制限に基づいて分割される。
【００５０】
分割方法の実施には、
送金額を単一送金制限で除算すること、
その商が１より小さい場合には、送金額に応じて支払オブジェクトに対して単一の支払要求を直接開始すること、
商が整数の場合、商が整数である数で（たとえば、送金額が３００００ドル、単一送金制限が５０００ドルの場合、送金額は６回の個別送金に除算され、各送金は５０００ドルである）送金額を複数の送金制限の数に分割すること、
商が整数でない場合、商の整数部分である数で、送金額を複数の送金制限の数に分割し、残りの送金資金を有する送金要求を付加する（言い換えれば、送金額が３２０００ドルで、単一送金制限が５０００ドルの場合、例えば送金額は、６回の個別送金に除算され、各送金は５０００ドルであり、２０００ドルの一回の送金を付加する）ことと、を含む。
【００５１】
Ｓ２０５：システムは支払オブジェクトへの支払要求を開始する。
【００５２】
具体的には、システムは、支払オブジェクトへの支払要求を直接開始し得る。あるいは、システムは、支払プラットフォームをトリガすることにより支払オブジェクトへの支払要求を開始して良く、これにより、支払オブジェクトへの支払要求の開始を実現することができる。
【００５３】
第３の実施形態
図３は、本出願の第３の実施形態に係る支払要求送信方法のフローチャートであり、主として、ユーザからの支払要求指示をシステムが受け取るプロセスを指し、ユーザが提示した送金額が、支払人の単一送金制限を超過する。この場合、システムは、送金額を除算した後、システムの最下層で複数回支払アプリケーションを開始する。以下の動作が含まれている。
【００５４】
Ｓ３０１：システムが特定のページをユーザにプッシュする。
【００５５】
本出願のこの実施形態では、システムは、主にＡｌｉｐａｙ（商標）、Ｔｅｎｐａｙ、またはＹｕ’Ｅ  Ｂａｏなどの支払プラットフォームを指す。システムは、具体的には、サーバまたはパーソナルコンピュータ（ＰＣ）などのキャリアエンティティであってもよく、関連するソフトウェアプラットフォームが実行される。
【００５６】
ユーザは、支払プラットフォームの登録ユーザであってもよく、固有の登録ＩＤを有する。
【００５７】
特定のページには、支払オブジェクトのオプションフィールド、送金額の入力フィールド、支払パスワードの入力フィールドなどが備えられる。
【００５８】
Ｓ３０２：システムは、ユーザの支払要求指示を受信する。
【００５９】
支払要求指示には、送金額情報、支払オブジェクト識別子、ユーザ識別情報などが備えられる。送金額情報は、ユーザが個人的な意思で特定のページに入力する送金資金である。支払オブジェクト識別子は、ユーザが支払を行いたいオブジェクトを示す。
【００６０】
Ｓ３０３：システムは、支払要求指示に基づいてユーザ許可の確認を実行する。
【００６１】
ユーザ許可の確認は、（１）ユーザ識別情報に基づいて支払プラットフォームにおけるユーザのログオン許可を確認すること、（２）ユーザ識別情報および支払オブジェクト識別子に基づいて、ユーザの送金許可を確認することと、を含んでもよい。
【００６２】
送金許可は、ユーザ、支払プラットフォーム、および支払オブジェクトが第三者仲介契約に署名しているかどうかに基づいて判定される。ユーザにこの許可がない場合、エラーが報告され、返される。ユーザにこの許可があると判定された場合は、次の動作が実行される。
【００６３】
第三者契約は、支払プラットフォームにおいてユーザにより署名された電子契約であり、支払プラットフォームが支払オブジェクトに対する支払アプリケーションを開始することに同意する。特定のアプリケーションには、例えば、即支払などのモードが備えられる。
【００６４】
システムは、第三者仲介契約（複数可）に署名するユーザ（複数可）のそれぞれの識別情報と、対応する支払対象識別子（複数可）をローカルデータベースに記憶してもよく、さらに、ユーザ（複数可）のそれぞれの識別情報と支払オブジェクト識別子（複数可）間のそれぞれのマッピング関係（複数可）をさらに記憶し得る。したがって、支払要求指示を受信すると、システムは、（１）支払要求指示に備えられるユーザ識別情報に一致するユーザ識別情報がローカルデータベース内に見い出され得るかどうか、（２）ユーザ識別情報と支払要求指示に備えられる支払オブジェクト識別子とのマッピング関係がローカルデータベース内に見い出される得るかどうか、を判定できる。これら２つの判定の結果がともに肯定的である場合には、ユーザが上記のように送金許可を有すると判定することができる。
【００６５】
Ｓ３０４：送金額と支払オブジェクト識別子とに基づいて、送金額が要件を満たすかどうかを判定する。
【００６６】
具体的には、システムはまず、支払オブジェクトの識別子に従って支払オブジェクトの１日の制限を問い合わせる。支払オブジェクトの１日の送金制限データ表は、システムにローカルに設定される。支払オブジェクトのデータ表および識別子は、１対１の方法で互いに対応し、ローカルデータベースまたはローカルメモリに記憶される。システムは、支払オブジェクトの識別子に従ってそれぞれのデータ表を直接呼び出すだけでよい。対応するデータ表に基づいて、ユーザの支払要求指示に備えられる送金額との比較が行われる。
【００６７】
支払要求指示の送金額が支払オブジェクトの設定された１日の送金制限を超える場合、制限を超えて送金が許可されないことを示す迅速な情報がユーザに返され、プッシュされる。
【００６８】
支払要求指示における送金額が、支払オブジェクトの設定された１日の送金制限より小さいまたは等しい場合、支払プラットフォームは、ユーザ識別情報および支払オブジェクト識別子に従って支払オブジェクトへのクエリ要求を開始するようにトリガされ、支払オブジェクトの下でユーザの資金残高を取得し、資金残高と送金額とを比較する。支払要求指示に備えられる送金額が資金残高より小さいまたは等しい場合、Ｓ３０５が実行される。支払要求指示に備えられる送金額が資金残高よりも大きい場合には、残高が不足していることを示す迅速な情報がユーザにプッシュされる。
【００６９】
Ｓ３０５：送金額と支払オブジェクト識別子に応じて分割が必要かどうかを判定する。
【００７０】
支払オブジェクトの単一送金制限は、支払オブジェクト識別子に従ってローカルデータベースから呼び出され、比較が行われる。支払要求指示に備えられる送金額が単一送金制限より大きい場合には、Ｓ３０６が実行される。支払要求指示に備えられる送金額が送金制限より小さいまたは等しい場合、Ｓ３０７が実行される。
【００７１】
Ｓ３０６：支払オブジェクトの単一送金制限に応じて送金額を分割する。
【００７２】
分割方法の実施には、
送金額を単一送金制限で除算すること、
その商が整数である場合には、商が整数である数で送金額を複数の送金制限値に分割する（たとえば、送金額が３００００ドル、単一送金制限が５０００ドルの場合、送金額は６回の個別送金に分割され、各送金は５０００ドルである）こと、
商が整数でない場合、商の整数部分の数を用いて、送金額を複数の送金制限に分割し、残りの送金資金を有する送金要求を付加する（例えば、送金額が３２０００ドルで、単一送金制限が５０００ドルの場合、送金額は、６回の個別送金に分割され、各送金は５０００ドルであり、２０００ドルの一回の送金を付加する）ことと、を含む。
【００７３】
Ｓ３０７：支払要求が支払オブジェクトに対して開始される。
【００７４】
Ｓ３０５によれば、分割される必要のない送金額のための支払オブジェクトに対して支払要求が直接開始される。あるいは、複数の分割送金および対応する複数の送金資金に従って、非同期支払要求が支払オブジェクトに対して開始され、すなわち、複数の支払要求が、異なる時間に支払オブジェクトに対して開始される。
【００７５】
第４の実施形態
第４の実施形態と第３の実施形態との相違点は、ステップＳ３０１において、Ｓ３０３におけるユーザ識別情報の許可と送金許可の確認が行われる点である。例えば、ユーザが特定のプッシュされたページに対して送金許可がない場合、ユーザは実行のために支払オブジェクトのオプションフィールドで支払オブジェクトを選択できない。
【００７６】
上記は、本出願で提供される要求送信方法を示す。同じ考え方に基づいて、本出願の実施形態は、図４に示す対応する要求送信装置をさらに提供する。
【００７７】
図４は、本出願の一実施形態に係る支払要求送信装置の概略構成図であり、具体的には、
とりわけ、一般にサーバ上で動作する図４に示すような装置、
ユーザのログオン許可、要求許可などを確認するために使用される確認部４０１、
ユーザにより送信された要求指示を受信するために使用される受信部４０２、
要求指示の送金額が要件を満たしているかどうかを判定し、数値情報を除算する判定および分割部４０３、
判定および分割部により送信された情報に従って要求されたオブジェクトへの要求を開始するために使用される要求送信部４０４、を備える。
【００７８】
本出願では、ユーザがウェブサイト、ゲームプラットフォーム、支払プラットフォームなどにログオンし、確認部４０１がユーザのログオン許可を確認する。ユーザが要求を送信するためにクリックすると、システムは、特定のページをユーザにプッシュする。システムは、要求されたオブジェクトオプションフィールド、要求数値の入力フィールド、確認ボタンなどを備える。特定のページがプッシュされると、確認部４０１は、ユーザの要求許可を自動的に確認し、ユーザ識別情報に基づいてローカルデータベースからユーザ許可識別子を呼び出し、ユーザが特定の要求されたオブジェクトおよびシステムとの第三者契約に署名するかどうか判定する。第三者契約が見出されない場合、要求されたオブジェクトは要求されたオブジェクトオプションボックスに表示されない。
【００７９】
要求されたオブジェクトを選択し、特定のページに要求数値やパスワードなどを入力した後、ユーザは確認ボタンをクリックして受信部４０２に要求指示を送信する。要求指示は、要求数値情報、要求されたオブジェクト識別子、およびユーザ識別情報を備える。要求数値情報は、個人の意思で特定のページに入力された要求数値である。要求されたオブジェクト識別子は、ユーザが数値データを送信したいオブジェクトを示す。
【００８０】
受信部４０２から要求指示の情報を受信した後、判定および分割部４０３は、まず、要求数値と要求されたオブジェクト識別子とに基づいて要求数値が制限ルールの要件に従うかどうかを判定する。要求指示の要求数値が要求されたオブジェクトの制限ルールの要件に従わない場合、エラーが報告され、返される。要求指示の要求数値が要求されたオブジェクトの制限ルールを満たす場合、要求されたオブジェクトに対して、要求されたオブジェクトの下のユーザの特定の数値制限を得るために、ユーザ識別情報および要求されたオブジェクト識別子に従ってクエリ要求が開始され、比較される。
【００８１】
要求指示に備えられる要求数値がユーザの所有する数値制限より大きい場合、エラーが報告され、返される。要求指示に備えられる要求数値がユーザの有する数値制限より小さいまたは等しい場合は、要求数値と要求されたオブジェクト識別子とに基づいて要求数値を分割する必要があるかどうかを判定する。動作の詳細には、要求されたオブジェクト識別子の１回の送信制限が、要求されたオブジェクト識別子に従ってローカルデータベースから呼び出され、比較が行われることが含まれる。
【００８２】
要求指示に備えられる要求数値が１回の送信制限値より小さいまたは等しい場合、要求送信部４０４は、要求されたオブジェクトへの要求を直接開始する。要求指示に備えられる要求数値が一回の送信制限より大きい場合には、要求数値を分割する。分割方法の実行は以下の通りである。要求数値を１回の送信制限で除算する、その商が整数である場合には、商である数で、要求数値を複数の１回の送信制限に分割する。商が整数でない場合には、要求数値は商の整数部分である数で、複数の１回の送信制制限に分割し、残りであるそれぞれの要求数値を有する数値要求を付加する。
【００８３】
分割が完了した後、判定および分割部４０３は要求送信部４０４にトリガをかけて、要求されたオブジェクトへの要求を開始する。要求送信部４０４は、複数の要求と判定および分割部４０３により判定された個々の要求のそれぞれの要求数値に応じて、要求されたオブジェクトへの要求の非同期送信を開始する、すなわち支払が完了するまで、要求されたオブジェクトに対する複数の要求を異なる時間に開始する。
【００８４】
当業者は、本発明の実施形態が、方法、システム、またはコンピュータプログラム製品として提供され得ることを理解すべきである。したがって、本出願の実施形態は、完全なハードウェアの実施形態、完全なソフトウェアの実施形態、またはソフトウェアとハードウェアの組み合わせである実施形態の形式で実行されてもよい。さらに、本発明の実施形態は、１つまたは複数のコンピュータ使用可能な記憶媒体（磁気ディスクメモリ、ＣＤ−ＲＯＭ、光学メモリを備えるが、これらに限定されない）上に実行されたコンピュータプログラム製品の形態を採用することができ、それはコンピュータ使用可能なプログラムコードを備える。
【００８５】
本発明は、本発明の実施形態による方法、装置（システム）、ならびにコンピュータプログラム製品のフローチャート及び／もしくはブロック図を参照して説明される。フローチャート及び／またはブロック図における各プロセス及び／またはブロック、ならびにフローチャート及び／またはブロック図におけるプロセス（複数可）及び／またはブロック（複数可）の組み合わせを実行するために、コンピュータプログラム命令を使用してよいことを理解する必要がある。これらのコンピュータプログラム命令、汎用コンピュータ、専用コンピュータ、組み込みプロセッサ、または別のプログラマブルデータ処理装置のプロセッサに提供されて機械を生成することができ、その結果、コンピュータまたは別のプログラマブルデータ処理装置のプロセッサにより実行される命令は、フローチャートの１つまたは複数のプロセス及び／もしくはブロック図の１つまたは複数のブロックで指定された機能（複数可）を実行する装置を生成する。
【００８６】
これらのコンピュータプログラム命令はまた、コンピュータまたは別のプログラマブルデータ処理装置に特定の方法で動作を実行させることができ、その結果、コンピュータ可読記憶装置に記憶された命令は、命令装置を備える製品を生成する。命令装置は、フローチャートの１つまたは複数のプロセス及び／もしくはブロック図の１つまたは複数のブロックに指定された機能（複数可）を実行する。
【００８７】
これらのコンピュータプログラム命令は、コンピュータまたは他のプログラマブルデータ処理装置にロードされ得て、その結果、一連の動作がコンピュータまたは他のプログラマブル装置上で実行され、それによりコンピュータ実行処理を生成する。したがって、コンピュータまたは他のプログラマブル装置上で実行される命令は、フローチャートの１つまたは複数のプロセス及び／もしくはブロック図の１つまたは複数のブロックに指定された機能（複数可）を実行するための手順を提供する。
【００８８】
典型的な構成では、コンピューティング装置は、１つまたは複数のプロセッサ（ＣＰＵ）、入力／出力インターフェイス、ネットワークインターフェイス、及びメモリを備える。
【００８９】
メモリは、揮発性メモリ、ランダムアクセスメモリ（ＲＡＭ）及び／または不揮発性メモリ、例えば読み出し専用メモリ（ＲＯＭ）またはフラッシュＲＡＭなどのコンピュータ可読媒体の形態を備えてもよい。メモリは、コンピュータ可読媒体の一例である。
【００９０】
コンピュータ可読媒体は、任意の方法または技術を使用して情報の記憶を実現し得る、揮発性または不揮発性タイプ、取外し可能または取外し不可能な媒体を備えてもよい。情報は、コンピュータ可読指示、データ構造、プログラムモジュール、または他のデータを備えてもよい。コンピュータ記憶媒体の例には、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み出し専用メモリ（ＲＯＭ）、電子的に消去可能なプログラマブル読み出し専用メモリ（ＥＥＰＲＯＭ）、クイックフラッシュメモリまたは他の内部記憶技術、コンパクトディスク読み出し専用メモリ（ＣＤ−ＲＯＭ）、デジタル多目的ディスク（ＤＶＤ）もしくは他の光記憶装置、磁気カセットテープ、磁気ディスク記憶装置または他の磁気記憶装置、またはコンピューティング装置によりアクセスできる情報を記憶するために使用され得る任意の他の非伝送媒体を備えるが、これに限定されない。本明細書で定義するように、コンピュータ可読媒体は、変調データ信号および搬送波などの一時媒体を備えない。
【００９１】
用語「ｉｎｃｌｕｄｅ（含む）」、「ｃｏｍｐｒｉｓｅ（備える）」、またはそれらの任意の変形は、非排他的な包含をカバーすることを意図しており、その結果、一連の要素を備えるプロセス、方法、製品または装置は、そのような要素を備えるだけでなく、明示的に特定されていない他の要素も備え、もしくはプロセス、方法、製品または装置の固有の要素をさらに備えてもよい。さらに制限を加えることなく、「ｉｎｃｌｕｄｅ  ａ／  ａｎ」というフレーズで定義された要素は、その要素を備えるプロセス、方法、製品、または装置に他の同じ要素が存在することを排除しない。
【００９２】
当業者は、本出願の実施形態が、方法、システム、またはコンピュータプログラム製品として提供され得ることを理解すべきである。したがって、本出願の実施形態は、完全なハードウェア実施形態、完全なソフトウェア実施形態、またはソフトウェアとハードウェアの組み合わせである実施形態の形式で実行されてもよい。さらに、本出願の実施形態は、１つまたは複数のコンピュータ使用可能な記憶媒体（磁気ディスクメモリ、ＣＤ−ＲＯＭ、光学メモリなどを備えるが、これに限定されない。）上に実行されたコンピュータプログラム製品の形態を採用することができ、コンピュータ使用可能なプログラムコードを備える。
【００９３】
前述の説明は本出願の実施形態に過ぎず、本出願を限定することを意図するものではない。当業者であれば、本出願は、様々な修正および変更を行うことができる。本出願の趣旨および原理から逸脱することなくなされた任意の修正、同等の置換、および改良は、本出願の請求の範囲に含まれるものとする。
【図１】
0006758298.tif 000002
【図２】
0006758298.tif 000003
【図３】
0006758298.tif 000004
【図４】
0006758298.tif 000005